(57)【要約】      （修正有）【課題】近接スイッチを備えた近接スイッチ部と近接スイッチを動作させる操作部とからなる操作スイッチにおいて、近接スイッチの部品交換あるいは操作部の交換を容易かつ低コストで行うことができる操作スイッチを提供すること。【解決手段】１以上の操作部１は、近接スイッチ部２の受け側着脱機構に対応する共通の挿入側着脱機構を有して近接スイッチ部２に対して分離可能であり、近接スイッチ部２の近接スイッチは、１以上の操作部１によるスイッチング操作に対して共通のスイッチング動作を行う。【選択図】図２
2018160343.tif 000002
【特許請求の範囲】
【請求項１】
近接スイッチを備えた近接スイッチ部と、前記近接スイッチに対するスイッチング動作を行わせる検出体を前記近接スイッチに対してスイッチング操作する操作部とを有した操作スイッチであって、
１以上の前記操作部は、前記近接スイッチ部の受け側着脱機構に対応する共通の挿入側着脱機構を有して前記近接スイッチ部に対して分離可能であり、
前記近接スイッチ部の前記近接スイッチは、１以上の前記操作部によるスイッチング操作に対して共通のスイッチング動作を行うことを特徴とする操作スイッチ。
【請求項２】
前記操作部は、複数であり、それぞれ異なるスイッチング操作を行うことを特徴とする請求項１に記載の操作スイッチ。
【請求項３】
前記操作部は、押しスイッチの操作部であり、前記近接スイッチに対するオルタネイト動作を行わせるオルタネイト操作機構を有することを特徴とする請求項１または２に記載の操作スイッチ。
【請求項４】
前記操作部は、セレクタスイッチの操作部であることを特徴とする請求項１〜３のいずれか一つに記載の操作スイッチ。
【発明の詳細な説明】
【技術分野】
【０００１】
本発明は、近接スイッチを備えた近接スイッチ部と近接スイッチを動作させる操作部とからなる操作スイッチにおいて、近接スイッチの部品交換あるいは操作部の交換を容易かつ低コストで行うことができる操作スイッチに関する。
【背景技術】
【０００２】
産業用機器や装置では、近接スイッチが用いられる場合が多い。近接スイッチは、物体の接近や、近傍の物体の有無を非接触で検出するものである。近接スイッチは、無接点出力方式であるため、スイッチの寿命を長くすることができ、検出対象の汚れや、油、水などによる影響をほとんどうけることがなく、高速応答かつ広い温度範囲で使用することができるという特徴を有する。
【０００３】
特許文献１には、磁気的近接スイッチを用い、操作側の金属体が磁気的近接スイッチとの間の距離が所定の範囲内に近づいたときスイッチがオンになる無接触式押ボタンスイッチが記載されている。この無接触式押ボタンスイッチの構成部品は、スイッチ本体内部に収納されている。
【０００４】
また、特許文献２には、押ボタンと近接スイッチとをスイッチケース内に一体的に取り付け、防水機構をもたせたゲーム機のストップスイッチが記載されている。
【先行技術文献】
【特許文献】
【０００５】
【特許文献１】実開平５−３３４１９号公報
【特許文献２】実開平６−１９７８１号公報
【発明の概要】
【発明が解決しようとする課題】
【０００６】
しかしながら、従来の近接スイッチを用いた操作スイッチは、近接スイッチを備えた近接スイッチ部と、近接スイッチに対するスイッチング動作を行わせる検出体を近接スイッチに対してスイッチング操作する操作部とが一体構成となった操作スイッチであったため、近接スイッチの電子部品の寿命や故障に対する交換、あるいは操作部の仕様変更を行う場合、操作スイッチ全体を一体として交換する必要があった。この結果、近接スイッチの部品交換あるいは操作部の交換を行う際、交換をしなくてもよい構成までも交換するので、交換にかかる無駄なコストがかかっていた。
【０００７】
本発明は、上記に鑑みてなされたものであって、近接スイッチを備えた近接スイッチ部と近接スイッチを動作させる操作部とからなる操作スイッチにおいて、近接スイッチの部品交換あるいは操作部の交換を容易かつ低コストで行うことができる操作スイッチを提供することを目的とする。
【課題を解決するための手段】
【０００８】
上述した課題を解決し、目的を達成するために、本発明にかかる操作スイッチは、近接スイッチを備えた近接スイッチ部と、前記近接スイッチに対するスイッチング動作を行わせる検出体を前記近接スイッチに対してスイッチング操作する操作部とを有した操作スイッチであって、１以上の前記操作部は、前記近接スイッチ部の受け側着脱機構に対応する共通の挿入側着脱機構を有して前記近接スイッチ部に対して分離可能であり、前記近接スイッチ部の前記近接スイッチは、１以上の前記操作部によるスイッチング操作に対して共通のスイッチング動作を行うことを特徴とする。
【０００９】
また、本発明にかかる操作スイッチは、上記の発明において、前記操作部は、複数であり、それぞれ異なるスイッチング操作を行うことを特徴とする。
【００１０】
また、本発明にかかる操作スイッチは、上記の発明において、前記操作部は、押しスイッチの操作部であり、前記近接スイッチに対するオルタネイト動作を行わせるオルタネイト操作機構を有することを特徴とする。
【００１１】
また、本発明にかかる操作スイッチは、上記の発明において、前記操作部は、セレクタスイッチの操作部であることを特徴とする。
【発明の効果】
【００１２】
本発明によれば、１以上の操作部は、近接スイッチ部の受け側着脱機構に対応する共通の挿入側着脱機構を有して近接スイッチ部に対して分離可能であるため、近接スイッチの部品交換あるいは操作部の交換を容易かつ低コストで行うことができるとともに、異なるスイッチング操作を行う操作部への変更も容易に行うことができる。
【図面の簡単な説明】
【００１３】
【図１】図１は、本発明の実施の形態である操作スイッチの外観構成を示す斜視図である。
【図２】図２は、図１に示した操作スイッチの分解斜視図である。
【図３】図３は、図１に示した操作スイッチの一部を破断した斜視図である。
【図４】図４は、図３に示した操作スイッチの破断状態における分解斜視図である。
【図５】図５は、近接スイッチ部の受け側着脱機構の一例を示す図である。
【図６】図６は、本発明の実施の形態の変形例１である操作スイッチにおける近接スイッチ部のネジ端子構造の分解斜視図である。
【図７】図７は、図６に示したネジ端子構造が組み合わされた状態における操作スイッチの分解斜視図である。
【図８】図８は、本発明の実施の形態の変形例２である操作スイッチの操作部を一部破断して示した斜視図である。
【図９】図９は、図８に示した操作部の斜視図及びオルタネイト動作を行わせる部品の構成を示す図である。
【図１０】図１０は、本発明の実施の形態の変形例３である操作スイッチの外観構成を示す斜視図である。
【図１１】図１１は、図１０に示した操作スイッチの分解斜視図である。
【図１２】図１２は、図１０に示した操作スイッチの一部を破断した斜視図である。
【図１３】図１３は、図１２に示した操作スイッチのオン状態における分解斜視図である。
【図１４】図１４は、オフ時における、ツマミ位置、外カムとノッチリングとの位置関係、内カムと内駒と押板との位置関係を示す図である。
【図１５】図１５は、オン時における、ツマミ位置、外カムとノッチリングとの位置関係、内カムと内駒と押板との位置関係を示す図である。
【発明を実施するための形態】
【００１４】
以下、添付図面を参照してこの発明を実施するための形態について説明する。
【００１５】
図１は、本発明の実施の形態である操作スイッチ１００の外観構成を示す斜視図である。また、図２は、図１に示した操作スイッチ１００の分解斜視図である。また、図３は、図１に示した操作スイッチ１００の一部を破断した斜視図である。また、図４は、図３に示した操作スイッチ１００の破断状態における分解斜視図である。図１〜図４に示すように、操作スイッチ１００は、近接スイッチ部２に操作部１が組み合わされて構成される。すなわち、操作部１は、近接スイッチ部２に対して着脱可能である。
【００１６】
操作部１のフレーム１０の下部円筒の外周壁には、挿入側着脱機構である４つの凹部４０が円周方向に沿って形成されている。また、近接スイッチ部２のベース１２の中央にはフレーム１０の下部円筒が嵌め込まれる円筒が形成され、この円筒の内壁には、４つの凹部４０が係合する受け側着脱機構として、４つの凹部４０に対応する位置に４つの突起４１が形成されており、内径方向に押圧されている。なお、図５に示すように、Ｕ字状のリリースアーム１３を図示しない引張ばねに抗して−Ｙ方向に移動し、このリリースアーム１３の先端テーパによって４つの突起４１を外周側に押し広げることにより、挿入側着脱機構と受け側着脱機構との係合がはずれ、近接スイッチ部２から操作部１を外すことができる。
【００１７】
なお、操作部１のフレーム１０の下部円筒の外周壁、及び近接スイッチ部２のベース１２の中央の円筒内壁には、それぞれ案内溝５０と案内突起５１とが形成され、操作部１の近接スイッチ部２への組合せを容易にしている。
【００１８】
操作部１の内部には近接スイッチ４をオンオフさせる検出体３が配置される。検出体３は、下部側（−Ｙ方向）が開口し上部が有底の円筒形状をなす押棒６の内部に固定される。ボタン７は、押棒６の上部に組み付けられる。ケース５の内壁と押棒６の外壁との間にはバックスプリング１４が嵌め込まれ、バックスプリング１４は、ボタン７の押下に伴って押棒６及び検出体３が下降すると圧縮され、バックスプリング１４の伸長力によって検出体３を上部側に引き戻す力が発生する。そして、近接スイッチ４は、検出体３が近接スイッチ４の検出部４ａに近接することによって無接触でスイッチ動作する。
【００１９】
フレーム１０の上部は外周に広がるフランジが形成され、このフランジの外周側上部にローゼット８が配置される。また、このフランジと押棒６の外壁上部との間にはパッキン９が係合して配置される。なお、近接スイッチ部２の近接スイッチ４は、ケース５に取り付けられている。
【００２０】
本実施の形態では、操作部１が近接スイッチ部２に対して着脱可能で分離することができるため、近接スイッチ４の部品交換を容易に行うことができる。また、操作部１のみを交換することができるので低コストで操作スイッチ１００を維持することができる。
【００２１】
なお、近接スイッチ４は、物体の接近や近傍の検出対象の有無を非接触で検出するものであれば任意であり、誘導形、静電容量形、超音波形、光電形、磁気形などの各種構成を適用することができる。上述した実施の形態では、検出体３を金属として、近接スイッチ４を金属の存在を検出する誘導形近接スイッチである場合を一例として示している。
【００２２】
（変形例１）
上述した実施の形態では、リード線によって近接スイッチ４のスイッチ信号を取り出すようにしていたが、この変形例１では、ネジ端子構造を設けてスイッチ信号を取り出すようにしている。図６は、本発明の実施の形態の変形例１である操作スイッチにおける近接スイッチ部２ａのネジ端子構造の分解斜視図である。また、図７は、図６に示したネジ端子構造が組み合わされた状態における操作スイッチの分解斜視図である。
【００２３】
図６及び図７に示すように、この変形例１では、端子ネジ１８が近接スイッチ部２ａの端部に取り付けられ、さらにカバー１９によって覆われるネジ端子構造を有する。なお、近接スイッチ部２ａの他の構造、すなわち受け側着脱機構は、近接スイッチ部２と共通の構造である。
【００２４】
（変形例２）
上述した実施の形態では、ボタン７を押下しているときのみ、近接スイッチ４がスイッチ動作する構成であったが、この変形例２では、オルタネイト動作する操作部１ａとしている。オルタネイト動作は、ボタン７を１回押下するとオン、またはオフとなり、さらに押下するとオフ、またはオンとなる動作を繰り返すことである。
【００２５】
図８は、本発明の実施の形態の変形例２である操作スイッチの操作部１ａを一部破断して示した斜視図である。また、図９は、図８に示した操作部１ａの斜視図及びオルタネイト動作を行わせる部品の構成を示す図である。
【００２６】
図８及び図９に示すように、この変形例２では、固定カム１５、回転カム１６、係合リング１７を設けている。ボタン７が押下される毎に、固定カム１５が上下し、これに伴って回転カム１６が図上時計回りに所定角ごとに回転するとともに係合リング１７が回転し、係合リング１７の係合部１７ａが存在する場合には検出体３の押下状態を保持し、係合部１７ａが存在しない場合には検出体３の押下状態を開放する動作を繰り返す。
【００２７】
（変形例３）
上述した実施の形態及び変形例１，２では、操作部１，１ａが押しスイッチの操作部であったが、この変形例３では、操作部１，１ａをセレクタスイッチの操作部１ｃとしている。図１０は、本発明の実施の形態の変形例３である操作スイッチの外観構成を示す斜視図である。また、図１１は、図１０に示した操作スイッチの分解斜視図である。また、図１２は、図１０に示した操作スイッチの一部を破断した斜視図である。また、図１３は、図１２に示した操作スイッチのオン状態における分解斜視図である。さらに、図１４は、オフ時における、ツマミ位置、外カム２４とノッチリング２５との位置関係、内カム２７と内駒２８と押板３０との位置関係を示す図である。また、図１５は、オン時における、ツマミ位置、外カム２４とノッチリング２５との位置関係、内カム２７と内駒２８と押板３０との位置関係を示す図である。
【００２８】
図１０〜図１５に示すように、ツマミ２０は、回転筒２１に組み合わされ、パッキン２３を介してフレーム２２に組み合わされる。外カム２４は、回転筒２１に組み合わされ、外カム２４の上部にノッチリング２５が組み合わされる。ノッチリング２５は、ノッチスプリング２６によって下部方向の外カム２４側に押圧される。内カム２７は、回転筒２１の内側に固定される。内駒２８は、バックスプリング２９によって内カム２７側に押圧される。押板３０は、金属の検出体であり、内駒２８に固定され、フレーム２２の溝２２ａによりガイドされる。そして、ツマミ２０を右回転操作した場合、内カム２７によって内駒２８と押板３０とが押し下げられて近接スイッチ４の検出部４ａに近接することによって、近接スイッチ４がスイッチ動作する。
【００２９】
ツマミ２０を図１４（ａ）の状態から図１５（ａ）の状態に右回転すると、図１４（ｂ）、図１５（ｂ）に示すように、ツマミ２０と回転筒２１と外カム２４と内カム２７とが連動して回転し、セレクタスイッチ操作のノッチ感覚を操作者に与える。また、ツマミ２０を図１４（ａ）の状態から図１５（ａ）の状態に右回転すると、図１４（ｃ）、図１５（ｃ）に示すように、フレーム２２の内側に設けた溝２２ａに沿って内駒２８と押板３０が下降して近接スイッチ４の検出部４ａに近接し、近接スイッチ４がスイッチ動作する。なお、ツマミ２０を左回転し、図１５の状態から図１４の状態に戻すことができる。すなわち、ツマミ２０の右回転及び左回転によって、押板３０が上下する。
【００３０】
上述した実施の形態、変形例１〜３では、近接スイッチ部２，２ａの受け側着脱機構は同一であり、また、操作部１，１ａ，１ｃの挿入側着脱機構は同一であり、操作部１，１ａ，１ｃの挿入側着脱機構は、近接スイッチ部２，２ａの受け側着脱機構に対応する共通の挿入側着脱機構を有して近接スイッチ部２，２ａに対して分離可能である。これによって近接スイッチ４の部品交換あるいは操作部１，１ａ，１ｃの交換を容易かつ低コストで行うことができるとともに、異なるスイッチング操作を行う操作部１，１ａ，１ｃへの変更も容易に行うことができる。
【符号の説明】
【００３１】
１，１ａ，１ｃ  操作部
２，２ａ  近接スイッチ部
３  検出体
４  近接スイッチ
４ａ  検出部
５  ケース
６  押棒
７  ボタン
８  ローゼット
９，２３  パッキン
１０，２２  フレーム
１２  ベース
１３  リリースアーム
１４，２９  バックスプリング
１５  固定カム
１６  回転カム
１７  係合リング
１７ａ  係合部
１８  端子ネジ
１９  カバー
２０  ツマミ
２１  回転筒
２２ａ  溝
２４  外カム
２５  ノッチリング
２６  ノッチスプリング
２７  内カム
２８  内駒
３０  押板
４０  凹部
４１  突起
５０  案内溝
５１  案内突起
１００  操作スイッチ
【図１】
2018160343.tif 000003
【図２】
2018160343.tif 000004
【図３】
2018160343.tif 000005
【図４】
2018160343.tif 000006
【図５】
2018160343.tif 000007
【図６】
2018160343.tif 000008
【図７】
2018160343.tif 000009
【図８】
2018160343.tif 000010
【図９】
2018160343.tif 000011
【図１０】
2018160343.tif 000012
【図１１】
2018160343.tif 000013
【図１２】
2018160343.tif 000014
【図１３】
2018160343.tif 000015
【図１４】
2018160343.tif 000016
【図１５】
2018160343.tif 000017